【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
撮像装置に着脱可能であり、
被写体の光学像を形成する撮影光学系と、
位相差検出方式の焦点検出における合焦位置のずれ量を示す情報または該ずれ量を補正するための補正情報を前記撮像装置に送信するレンズ制御手段と、を有するレンズ装置であって、
前記レンズ制御手段は、前記撮影光学系の状態に応じて、前記ずれ量を示す情報もしくは前記補正情報と、前記位相差検出方式の焦点検出により合焦位置を算出できないことを示す情報のいずれか一方の情報を前記撮像装置に送信することを特徴とするレンズ装置。
【請求項２】
前記位相差検出方式の焦点検出は、前記撮像装置に含まれる撮像素子の撮像面で行われることを特徴とする請求項１に記載のレンズ装置。
【請求項３】
前記撮影光学系は、光量を調節する絞りを含み、
前記レンズ制御手段は、前記絞りの状態から得られる前記ずれ量を示す情報または前記補正情報を前記撮像装置に送信することを特徴とする請求項１または２に記載のレンズ装置。
【請求項４】
前記ずれ量は、前記撮像面における領域ごとに算出されることを特徴とする請求項２または３に記載のレンズ装置。
【請求項５】
前記レンズ制御手段は、前記撮影光学系の倍率を高くするためのコンバータ、及び前記撮影光学系の明るさを異ならせる光学フィルタの少なくとも一つが前記撮影光学系に挿入された場合に、前記ずれ量を示す情報もしくは前記補正情報と、前記位相差検出方式の焦点検出により合焦位置を算出できないことを示す情報のいずれか一方の情報を前記撮像装置に送信することを特徴とする請求項１乃至４のいずれか１項に記載のレンズ装置。
【請求項６】
前記レンズ制御手段は、前記レンズ装置と前記撮像装置の間で行われる初期通信において、前記ずれ量を示す情報もしくは前記補正情報と、前記位相差検出方式の焦点検出により合焦位置を算出できないことを示す情報のいずれか一方の情報を前記撮像装置に送信することを特徴とする請求項１乃至４のいずれか１項に記載のレンズ装置。
【請求項７】
前記レンズ制御手段は、前記撮影光学系の光学特性が変化したときに、前記ずれ量を示す情報もしくは前記補正情報と、前記位相差検出方式の焦点検出により合焦位置を算出できないことを示す情報のいずれか一方の情報を前記撮像装置に送信することを特徴とする請求項１乃至４のいずれか１項に記載のレンズ装置。
【請求項８】
前記レンズ制御手段は、前記撮影光学系を駆動する命令を前記撮像装置から受信した場合に、前記命令が前記位相差検出方式による焦点検出のための駆動命令であるかどうかを判断し、
前記命令が前記位相差検出方式による焦点検出のための駆動命令である場合に、前記命令が前記位相差検出方式とは異なる方式による焦点検出のための駆動命令である場合よりも、前記撮影光学系を高速で駆動することを特徴とする請求項１乃至７のいずれか１項に記載のレンズ装置。
【請求項９】
被写体の光学像を形成する撮影光学系を備えたレンズ装置が着脱可能であり、
前記レンズ装置と通信可能なカメラ制御手段を有する撮像装置であって、
前記カメラ制御手段は、前記撮影光学系の状態に応じて、位相差検出方式の焦点検出における合焦位置のずれ量を示す情報もしくは前記ずれ量を補正するための補正情報と、前記位相差検出方式の焦点検出により合焦位置を算出できないことを示す情報のいずれか一方の情報を前記レンズ装置から受信し、
前記受信した情報に基づいて、前記撮影光学系の駆動量を算出して、該算出された駆動量を示す情報を前記レンズ装置に送信することを特徴とする撮像装置
【請求項１０】
被写体の光学像を形成する撮影光学系を備えたレンズ装置が着脱可能であり、
前記撮影光学系により形成された前記光学像を光電変換する撮像素子と、
一対の被写体像の像信号の位相差を検出することによって焦点検出を行う第１の焦点検出手段と、
前記撮像素子から得られた撮像信号のコントラストに基づいて焦点検出を行う第２の焦点検出手段と、
前記レンズ装置と通信可能なカメラ制御手段を有する撮像装置であって、
前記カメラ制御手段は、前記レンズ装置から位相差検出方式の焦点検出における合焦位置のずれ量を示す情報または該ずれ量を補正するための補正情報を受信した場合には、前記第１の焦点検出手段の検出結果と、前記ずれ量または前記補正情報を用いて前記撮影光学系を駆動する駆動量を算出して、該算出された駆動量を示す情報を前記レンズ装置に送信し、
前記レンズ装置から、前記位相差検出方式の焦点検出により合焦位置を算出できないことを示す情報を受信した場合には、前記第２の焦点検出手段の検出結果を用いて前記撮影光学系を駆動する駆動量を算出して、該算出された駆動量を示す情報を前記レンズ装置に送信することを特徴とする撮像装置。
【請求項１１】
被写体の光学像を形成する撮影光学系を有し、撮像装置に着脱可能であり、位相差検出方式の焦点検出における合焦位置のずれ量を示す情報または該ずれ量を補正するための補正情報を前記撮像装置に送信可能なレンズ装置の制御方法であって、
前記撮影光学系の状態に応じて、前記ずれ量を示す情報もしくは前記補正情報と、前記位相差検出方式の焦点検出により合焦位置を算出できないことを示す情報のいずれか一方の情報を前記撮像装置に送信するステップを含むことを特徴とするレンズ装置の制御方法。
【請求項１２】
被写体の光学像を形成する撮影光学系を備えたレンズ装置が着脱可能である撮像装置の制御方法であって、
前記撮影光学系の状態に応じて、位相差検出方式の焦点検出における合焦位置のずれ量を示す情報もしくは前記ずれ量を補正するための補正情報と、前記位相差検出方式の焦点検出により合焦位置を算出できないことを示す情報のいずれか一方の情報を前記レンズ装置から受信するステップと、
前記受信した情報に基づいて、前記撮影光学系を駆動する駆動量を算出するステップと、
該算出された駆動量を示す情報を前記レンズ装置に送信するステップを含むことを特徴とする撮像装置の制御方法。
【請求項１３】
被写体の光学像を形成する撮影光学系を備えたレンズ装置が着脱可能であり、
前記撮影光学系により形成された前記光学像を光電変換する撮像素子と、
一対の被写体像の像信号の位相差を検出することによって焦点検出を行う第１の焦点検出手段と、
前記撮像素子から得られた撮像信号のコントラストに基づいて焦点検出を行う第２の焦点検出手段と、
を有する撮像装置の制御方法であって、
前記レンズ装置から受信した情報が、位相差検出方式の焦点検出における合焦位置のずれ量を示す情報もしくは前記ずれ量を補正するための補正情報と、前記位相差検出方式の焦点検出により合焦位置を算出できないことを示す情報のいずれの情報であるかを判別するステップと、
前記レンズ装置から受信した情報が、前記ずれ量を示す情報または前記ずれ量を補正するための補正情報である場合には、前記第１の焦点検出手段の検出結果と、前記ずれ量または前記補正情報を用いて前記撮影光学系を駆動する駆動量を算出し、前記レンズ装置から受信した情報が、前記位相差検出方式の焦点検出により合焦位置を算出できないことを示す情報ある場合には、前記第２の焦点検出手段の検出結果を用いて前記撮影光学系の駆動量を算出するステップと、
前記算出された前記撮影光学系の駆動量を示す情報を前記レンズ装置に送信するステップを含むことを特徴とする撮像装置の制御方法。
【手続補正２】
【補正対象書類名】明細書
【補正対象項目名】０００７
【補正方法】変更
【補正の内容】
【０００７】
本発明のレンズ装置は、撮像装置に着脱可能であり、被写体の光学像を形成する撮影光学系と、位相差検出方式の焦点検出における合焦位置のずれ量を示す情報または該ずれ量を補正するための補正情報を前記撮像装置に送信するレンズ制御手段と、を有するレンズ装置であって、前記レンズ制御手段は、前記撮影光学系の状態に応じて、前記ずれ量を示す情報もしくは前記補正情報と、前記位相差検出方式の焦点検出により合焦位置を算出できないことを示す情報のいずれか一方の情報を前記撮像装置に送信することを特徴とする。